(57)【要約】【課題】ＡＭ受信機の感度を容易に上げることができ、使用部品点数の削減により小型化を目指し、コスト削減を可能にしたＡＭ受信機のアンテナローディングコイルを提供する。【解決手段】金属ケース６を有し、鍔１ｂで分割された２つの巻溝を有するドラム状コア１の上の巻溝に巻かれた第１の巻線４と、下の巻溝に巻かれた第２の巻線５を有し、第１の巻線部を包み込むようにポットコア２を配置し、第１の巻線をアンテナローディングコイルとし、第２の巻線をＦＭ帯アイソレーションコイルとしたことを特徴とする。【選択図】  図１
2007173905.tif 000002
【特許請求の範囲】
【請求項１】
金属ケースを具え、鍔で分割された２つの巻溝を有するドラム状コアの上の巻溝に巻かれた第１の巻線と、下の巻溝に巻かれた第２の巻線を有し、該第１の巻線をアンテナローディングコイルとし、該第２の巻線をＦＭ帯アイソレーションコイルとし、該第１の巻線部を被うように設けられたポットコアを具えたことを特徴とするＡＭ受信機のアンテナローディングコイル。
【請求項２】
前記第１の巻線と前記第２の巻線の磁気的結合を０．５以下とする請求項１記載のＡＭ受信機のアンテナローディングコイル。
【請求項３】
前記ポットコアは側面外周に螺旋状のネジ溝を設け、上面側中心部に調整溝を設け、前記金属ケースは側面に該ポットコアのネジ溝と螺合する螺旋状のネジ溝を設け、上部中心部に該ポットコアのネジ溝と同等かまたはそれ以上の大きさの調整孔を具えたことを特徴とする請求項１記載のＡＭ受信機のアンテナローディングコイル。
【発明の詳細な説明】
【技術分野】
【０００１】
ラジオ受信機におけるＡＭ受信機のアンテナローディングコイルに関する。
【背景技術】
【０００２】
今日のＡＭ受信機はアップコンバージョン方式が主流を占め、受信周波数範囲は、ＬＷ／ＭＷ／ＳＷで１４４ＫＨｚ〜１８ＭＨｚをカバーする。そして、アンテナからはＦＭ信号が同時に入力する。そこで、ＦＭ帯の８０ＭＨｚ近傍の入力信号レベルを減衰させることがＡＭ周波数帯のアイソレーションを良くしてＡＭ受信機の感度を上げている。
【０００３】
図３の回路は、ラジオ受信機におけるアンテナとチューナとの間に設けたＡＭ受信機のアンテナローディングコイルＬ２とＦＭ帯アイソレーションコイルＬ１の回路構成であり、図２に示すように、アンテナローディングコイルは商用周波数（５０Ｈｚ又は６０Ｈｚ）の２倍の高調波を減衰させるものであり（低域側）、ＦＭ帯アイソレーションコイルはＦＭ周波数帯を減衰させるものである（高域側）。
例えば、特許文献１および特許文献２参照。
【０００４】
従来、このアンテナローディングコイルＬ２とＦＭ帯アイソレーションコイルＬ１はそれぞれ独立した単品部品（固定インダクタ）が用いられている。そして、このアンテナローディングコイルＬ２はインダクタンス値が５０ｍＨ以上と大きく、図５に示すように、ポットコア１２内に巻線１３が巻回されたドラムコア１１を収納した閉磁路構造のインダクタが一般的に用いられている。そして、ＦＭ帯アイソレーションコイルＬ１のインダクタンス値は４〜１０μＨ程度であり、一般的な２．０×２．５ｍｍ程度のチップインダクタが用いられている。
【０００５】
この回路において、ＦＭ帯アイソレーションコイルＬ１のインダクタンス値が４〜１０μＨ程度であり、共振用のコンデンサＣ１は１ｐＦ前後と小さく、回路のパターン容量、外付け固定コンデンサのバラツキを加味して固定インダクタのインダクタンス値を決定する組合わせをしなければならず、ＦＭ帯アイソレーション特性に起因し、ＡＭ受信機の感度を上げることが難しいという問題がある。ここで、回路図に記載した破線内の抵抗、コンデンサはアンテナにおけるダミー定数である。
【０００６】
【特許文献１】実公平４−５３０７０
【特許文献２】特開平１１−３４６１１２
【発明の開示】
【発明が解決しようとする課題】
【０００７】
本発明は、従来技術の前述の欠点の解消を目的に、ＡＭ受信機の感度を容易に上げることができ、使用部品点数の削減により小型化を目指し、コスト削減を可能にしたＡＭ受信機のアンテナローディングコイルを提供する。
【課題を解決するための手段】
【０００８】
本発明のＡＭ受信機のアンテナローディングコイルは、アンテナローディングコイルにＦＭ帯アイソレーションコイルを一体化することでＡＭ受信機の感度を容易に上げることができ、使用部品点数の削減および小型化を実現する。
【０００９】
すなわち、本発明のＡＭ受信機のアンテナローディングコイルは、金属ケースを有し、鍔で分割された２つの巻溝を有するドラム状コアの上の巻溝に巻かれた第１の巻線と、下の巻溝に巻かれた第２の巻線を有し、第１の巻線部を包み込むようにポットコアを配置し、第１の巻線をアンテナローディングコイルとし、第２の巻線をＦＭ帯アイソレーションコイルとしたことを特徴とする。
また、第１の巻線と第２の巻線の磁気的結合を０．５以下とする。
【発明の効果】
【００１０】
本発明では、アンテナローディングコイルにＦＭ帯アイソレーションコイルを一体化にすることで、ＡＭ受信機の感度を容易に上げることができ、使用部品点数を削減し、実装面積を小さくすることで小型化が図れ、更に部品コストの低減を図ることができる。
【発明を実施するための最良の形態】
【００１１】
以下、本発明を図面に従って詳細に説明する。
図１は、本発明のＡＭ受信機のアンテナローディングコイルの第１の実施例を示す構成図である。
図１において、１はドラムコア、２はポットコア、３は合成樹脂からなるベース、４は第１の巻線、５は第２の巻線、６は金属ケースである。
【００１２】
ベース３にはドラムコア１が固着されている。ドラムコア１はフェライト等の磁性体からなり、中央の鍔１ｂで分割され、上の巻溝と下の巻溝がある３枚鍔を有するコアである。上の巻溝に絶縁樹脂を被覆した絶縁被膜導線で巻回した第１のコイル４を形成し、下の巻溝に絶縁樹脂を被覆した絶縁被膜導線で巻回した第２のコイル５を形成する。第１のコイル４の巻線端末および第２のコイル５の巻線端末はベースに設けた複数の金属端子７に接続されている。そして、巻線されたドラムコア１は、フェライト等の磁性体からなる壺状のポットコア２に収納し、金属ケース６が被せられている。
【００１３】
ここで、第１の巻線４と第２の巻線５の結合係数を０．５以下にするためにはポットコア２の底面（裾部）がドラムコアの中鍔１ｂの厚み内にあることが必要である。結合係数が０．５を超える値となるとＦＭ帯アイソレーション特性の減衰量が甘くなり、また、ＳＷ帯のロスが大きくなりことから、結合係数を０．５以下とすることが望ましい。
また、ドラムコア１の３枚鍔の厚みは中鍔１ｂを上鍔１ａ、下鍔１ｃより厚くすることが結合を容易にする上で望ましい。さらに、第１の巻線４が大きいインダクタンス値のアンテナローディングコイルとするためにドラムコアの上の巻溝幅を大きくし、第２の巻線５をインダクタンス値の小さいＦＭ帯アイソレーションコイルとすることからドラムコアの下の巻溝幅を狭くすることで高さを低く抑えることができる。
【００１４】
例えば、本第１の実施例では、絶縁被膜導線を０．０６φの線径を用いた場合、第１の巻数は１２００ターン、第２の巻数が１０ターン程度である。そして、外形は、０．５ｍｍ角で、高さが約５ｍｍ（端子を除く）程度と小型化が可能である。
【００１５】
このように、アンテナローディングコイルＬ２にＦＭ帯アイソレーションコイルＬ１を一体化にすることで、図１の回路図に記載したＦＭ帯アイソレーションコイルＬ１の同調容量Ｃ１を第２の巻線５の巻線間分布容量を用いることで、外部コンデンサＣ１を省くことができる。そして、ＦＭ帯アイソレーション特性において、第２のコイルと第２の巻線間分布容量を用いて共振特性を得ることから回路パターンの影響を受けにくく、ＦＭ帯アイソレーションレベルを最大に上げることができ、ＡＭ受信機の感度を容易に上げることができる。
【００１６】
さらに、基板実装においてはＦＭ帯アイソレーションコイルを省くことができるので、使用部品点数を削減し、実装面積を小さくすることから小型化が図れ、更に部品コストの低減を図ることができる。
【００１７】
つぎに、本発明のＡＭ受信機のアンテナローディングコイルの第２の実施例の構成図を図２に示す。第２の実施例では、ポットコアを上下動させることによって、第１のコイルおよび第２のコイルのインダクタンス値を変化させるとともに第１のコイルと第２のコイルの結合係数を変化させることができ、図４で示したアンテナローディング特性およびＦＭ帯アイソレーション特性の微調整を行うことができる。このことにより、第１の実施例より更にＡＭ受信機の感度を容易に上げることができる。
【００１８】
図２の第２の実施例では、図１の第１の実施例と構成は同じであるが、ポットコアと金属ケースが互いに螺合するネジ溝２ｂ（ポットコア外周面）、６ｂ（ケース側面）を設けるとともに、ポットコア２には上面の中心部に調整用の溝２ａを設け、金属ケース６には上部の中心部にポットコアの調整溝と同等またはそれより大きい調整孔６ａを設け、調整ドライバーを挿入して調整できる点が異なります。他の構成は図１と同じであることから図２の説明を省略します。
【００１９】
ポットコア２の可変範囲はポットコア底面開口部の裾がドラムコア１の中鍔１ｂを中心とした移動範囲を設けたものである。このことにより、第１の巻線のインダクタンス、第２の巻線のインダクタンスおよび第１の巻線と第２の巻線の結合係数を変化させ、アンテナローディング特性およびＦＭ帯アイソレーション特性が最適となる位置に調整することができる。また、調整溝の形状はマイナス（−）形状、プラス（＋）形状等、コアを回転できる形状であればよい。
【００２０】
以上、本発明のＡＭ受信機のアンテナローディングコイルの実施例をのべたが、これらに限られるものではない。例えば端子は、面接続用端子でも良い。また、金属ケースの代わりに樹脂ケースをもちいてもよい。
【図面の簡単な説明】
【００２１】
【図１】本発明のＡＭ受信機のアンテナローディングコイルの第１の実施例の構成図
【図２】本発明のＡＭ受信機のアンテナローディングコイルの第２の実施例の構成図
【図３】ＡＭ受信機のアンテナローディングコイルＬ２とＦＭ帯アイソレーションコイルＬ１の回路構成
【図４】アンテナローディング特性とＦＭ帯アイソレーション特性
【図５】従来のアンテナローディングコイル（固定インダクタ）
【符号の説明】
【００２２】
１  ドラムコア
２  ポットコア
３  ベース
４  第１の巻線
５  第２の巻線
６  金属ケース
【図１】
2007173905.tif 000003
【図２】
2007173905.tif 000004
【図３】
2007173905.tif 000005
【図４】
2007173905.tif 000006
【図５】
2007173905.tif 000007